(57)【特許請求の範囲】
【請求項１】
開口部を形成する略逆Ｕ字状部および、この略逆Ｕ字状部の上に設けられるねじ孔部とを一対的に設け、ルーバーの本体内面に前記開口部を一方向に向け一対設けた固定具と、この固定具の開口部に挿入される形状で先端に突部を設けた一辺と、前記ねじ孔部に対向するねじ挿入孔を設けた他辺とを略コの字状に形成した取付部を両端に有し、換気装置の本体側に係合される二また状のばねを取り付けるばね取付具とを備え、前記固定具の開口部に、ばね取付具に設けた取付部の一辺を係合し、他辺をねじにより前記ねじ孔部に固定して前記ぱね取付具を取り付ける構成としたルーバー。
【請求項２】
ばね取付具の両端に設けられる取付部の略コの字状部分の開口が逆方向で、前記取付部の突部がばね取付具と平行の同一方向に向け形成し、前記ばね取付具を回動して固定具に係合する構成とした請求項１記載のルーバー。
【請求項３】
ばね取付具の両端に設けられる取付部の略コの字状部分の開口を横方向の同一方向に向けて形成し、前記ばね取付具を横動して固定具に係合したのち、前記ばね取付具を長手方向に移動し突部を係合する構成とした請求項１記載のルーバー。
【発明の詳細な説明】
【０００１】
【発明の属する技術分野】
本発明は、天井等に設置されて換気を行う換気装置に設けられるルーバーに関する。
【０００２】
【従来の技術】
近年、天井等に設置される換気装置の普及にともない換気装置に設けられるルーバーが落下することのないようにする要求が高まってきている。
【０００３】
従来、この種のルーバーの一例として図５および図６に示されるものが知られていた。以下、その構成について図５および図６を参照しながら説明する。
【０００４】
図に示すように、ルーバーの本体１０１の内面に一対のボス部１０２を設け、ボス部１０２に螺合するねじ１０３のねじ挿入孔１０４を両端に有し、換気装置の本体１０５に設けた係合孔１０６に係合する左右に開き勝手の二また状のばね１０７を取り付けるばね取付具１０８を形成し、ばね取付具１０８をボス部１０２にねじ１０３により取り付け、ばね１０７を設けていた。
【０００５】
【発明が解決しようとする課題】
このような従来のルーバーでは、ルーバーの本体１０１に設けたボス部１０２に螺合するねじ１０３のみで取り付けられていたため、ボス部１０２の割れ等によりねじ１０３の螺合部分の機能が果たせなくなってねじ１０３による固定ができなくなり固定機能の不能によりルーバーの本体１０１が脱落するという課題があった。
【０００６】
本発明は、上記課題を解決するもので簡単に脱落しない安全性の高いルーバーを提供することを目的とする。
【０００７】
【課題を解決するための手段】
本発明のルーバーにおいては、開口部を形成する略逆Ｕ字状部およびこの略逆Ｕ字状部の上に設けられるねじ孔とを一体的に設け、ルーバーの本体内面に前記開口部を一方向に向け一対設けた固定具と、この固定具の開口部に挿入される形状で先端に突部を設けた一辺と、前記ねじ孔部に対向するねじ挿入孔を設けた他辺とを略コの字状に形成した取付部を両端に有し、換気装置の本体側に係合される二また状のばねを取り付けるばね取付具とを備え、前記固定具の開口部に、ばね取付具に設けた取付部の一辺を係合し、他辺をねじにより前記ねじ孔部に固定して前記ばね取付具を取り付ける構成としたものである。
【０００８】
この本発明によれば、簡単に脱落しない安全性の高いルーバーを提供することができる。
【０００９】
【発明の実施の形態】
本発明の請求項１に記載の発明は、開口部を形成する略逆Ｕ字状部およびこの略逆Ｕ字状部の上に設けられるねじ孔部とを一体的に設け、ルーバーの本体内面に前記開口部を一方向に向け一対設けた固定具と、この固定具の開口部に挿入される形状で先端に突部を設けた一辺と、前記ねじ孔部に対向するねじ挿入孔を設けた他辺とを略コの字状に形成した取付部を両端に有し、換気装置の本体側に係合される二また状のばねを取り付けるばね取付具とを備え、前記固定具の開口部にばね取付具に設けた取付部の一辺を係合し、他辺をねじにより前記ねじ孔部に固定して前記ばね取付具を取り付ける構成としたものであり、ルーバーは、ルーバーの本体に設けた固定具の開口部に取付部の一辺が係合し、取付部の他辺が固定具に設けたねじ孔部に螺合するねじにより取り付けられることとなり、ねじ孔部が破損してねじ止めの機能が無くなって、固定具の開口部に係合している取付部の一辺により支持され、さらに一辺に設けた突部により開口部より簡単に取付部の一辺が抜けることがなく、ルーバーの本体が保持され簡単に脱落しない安全性の高いルーバーが得られるという作用を有する。
【００１０】
以下、本発明の実施の形態について図１〜図４を参照しながら説明する。
【００１１】
（実施の形態１）
図１および図２に示すように、開口部１を形成する略逆Ｕ字状部２および略逆Ｕ字状部２の上に設けられるねじ孔部３とを一体的に設けたルーバーの本体４内面に開口部１を一方向に向け一対設けた固定具５と、固定具５の開口部１に挿入される形状で先端に突部６を設けた一辺７と、ねじ孔部３に対向するねじ挿入孔８を設けた他辺９とを略コの字状に形成した取付部１０を両端に有し、換気装置の本体（図示せず）に係合される左右に開き勝手の二また状のばね１１を取り付けるばね取付具１２を設け、ばね取付具１２の両端に設けられる取付部１０の略コの字状部分の開口１３が互いに逆方向で、取付部１０の突部６をばね取付具１２の長手方向で同一方向に向け形成し、ばね取付具１２を回動して固定具５の開口部１にばね取付具１２に設けた取付部１０の一辺７を係合し、突部６の向く方向にばね取付具１２を移動させて突部６を固定具５の縁に係合したのち、ねじ１４をねじ挿入孔８を通してねじ孔部３に螺合し、他辺９を固定してばね取付具１２を取り付ける構成とする。
【００１２】
上記構成において、ルーバーは、ばね１１の幅を縮少して換気装置の本体にばね１１の開き勝手の弾性力により取り付けられる。
【００１３】
そして、何らかの原因で例えばねじ１４の螺合しているねじ孔部３が破損し、ねじ１４による固定機能が失われたとしても、ルーバーの本体４に設けた固定具５の縁に係合している突部６によりルーバーの本体４は支持されるとともに、突部６により一辺７の開口部１に対する係合が断たれるのか抑制され、ルーバー本体４は脱落することなく続行して保持されることとなる。
【００１４】
このように本発明の実施の形態１のルーバーによれば、開口部１を形成する略逆Ｕ字状部２および、略逆Ｕ字状部２の上に設けられるねじ孔部３とを一体的に設け、ルーバーの本体４内面に開口部１を一方向に向け一体設けた固定具５と、この固定具５の開口部１に挿入される形状で先端に突部６を設けた一辺７と、ねじ孔部３に対向するねじ挿入孔８を設けた他辺とを略コの字状に形成した取付部１０を両端に有し、換気装置の本体側に係合される二また状のばね１１を取り付けるばね取付具１２とを備え、固定具５の開口部１にばね取付具１２に設けた取付部１０の一辺７を係合し、他辺９をねじ１４によりねじ孔部３に固定してばね取付具１２を取り付ける構成としたので、例えねじ孔部３が破損し、ねじ１４の固定機能が失なわれたとしても、ねじ取付具１２の両端に設けた取付部１０の一辺７がルーバーの本体４側に設けた固定具５の開口部１に係合するとともに、突部６が固定具５の縁に当接していることによりルーバーの本体４は脱落するのが防止できる。
【００１５】
また、ばね取付具１２の両端に設けられる取付部１０のコの字状部分の開口１３が逆方向で、取付部１０の突部６がばね取付具１２と平行の同一方向に向け形成し、ばね取付具１２を回動して固定具５に係合する構成としたので、ねじ孔部３が破損し、ねじ１４の固定機能が失われても、取付部１０の一辺７が固定具５の開口部１に回動して係合されていることにより、ルーバーの本体４が一定範囲回動しなければ脱落することがなくなり、さらに安全性が高められる。
【００１６】
（実施の形態２）
図３および図４に示すように、ばね取付具１２Ａの両端に設けられる取付部１０Ａのコの字状部分の開口１３Ａを横方向の同一方向に向けて形成し、ばね取付具１２Ａを横動して固定具５の開口部１に一辺７を係合したのち、ばね取付具１２Ａを、ばね取付具１２Ａの縦方向となる長さ方向に移動させ、突部６Ａを固定具５の縁に係合させた状態でねじ１４をねじ挿入孔８を介してねじ孔部３に螺合し、ばね取付具１２Ａをルーバーの本体４Ａに取り付ける構成とする。
【００１７】
上記構成において、ルーバーは、ばね１１の幅を縮少して換気装置の本体にばね１１の開き勝手の弾性力で取り付けられる。
【００１８】
そして、何らかの原因でねじ１４の螺合しているねじ孔部３が破損し、ねじ１４による固定機能が失われたとしても、ルーバーの本体４に設けた固定具５の縁に係合している突部６により一辺７の開口部１に対する係合が断たれることが抑制されるとともに、ルーバーの本体４がばね取付具１２Ａより離脱する場合には、ルーバーの本体４は、ばね取付具１２Ａの長手方向に一旦移動して突部６Ａの固定具５に対する係合を脱したのち、ルーバーの本体４が横方向に移動し、固定具５の開口部１よりばね取付具１２Ａの両端に設けた取付部１０Ａの一辺７が抜けないとルーバーの本体４は脱落することがなくなることとなる。
【００１９】
このように本発明の実施の形態２のルーバーによれば、ばね取付具１２Ａの両端に設けられる取付部１０Ａのコの字状部分の開口１３Ａを横方向の同一方向に向けて形成し、ばね取付具１２Ａを横動して固定具５の開口部１に係合したのち、ばね取付具１２Ａの長手方向に移動し突部６Ａを係合する構成としたので、ねじ孔部３が破損し、ねじ１４の固定機能が失われても、ルーバーの本体４は、ばね取付具１２Ａの長手方向に移動したのち、横方向に移動する動きが行なわれない限り、ルーバーの本体４が脱落することがなく、安全性の高いルーバーが得られる。
【００２０】
【発明の効果】
以上の実施の形態から明らかなように、本発明によれば、開口部を形成する略逆Ｕ字状部および、この略逆Ｕ字状部の上に設けられるねじ孔部とを一体的に設け、ルーバーの本体内面に前記開口部を一方向に向け一対設けた固定具と、この固定具の開口部に挿入される形状で先端に突部を設けた一辺と、前記ねじ孔部に対向するねじ挿入孔を設けた他辺とを略コの字状に形成した取付部を両端に有し、換気装置の本体側に係合される二また状のばねを取り付けるばね取付具とを備え、前記固定具の開口部にばね取付具に設けた取付部の一辺を係合し、他辺をねじにより前記ねじ孔部に固定して前記ばね取付具を取り付ける構成としたので、２種類の固定方法を併用することにより、一方の固定機能が不能になった場合においても、ルーバーの本体は脱落しなくなり安全性の高いルーバーを提供できる。
【００２１】
また、ばね取付具の両端に設けられる取付部の略コの字状部分の開口が逆方向で、前記取付部の突部がばね取付具と平行の同一方向に向け形成し、前記ばね取付具を回動して固定具に係合する構成としたので、ばね取付具はルーバー本体に回動動作によって取り付けられることとなり、ねじ固定の機能が不能になった場合においても、ルーバー本体が回動しない限り脱落しなくなり、より安全性が高められ優位となる。
【００２２】
また、ばね取付具の両端に設けられる取付部の略コの字状部分の開口を横方向の同一方向に向けて形成し、前記ばね取付具を横動して固定具に係合したのち、ばね取付具を長手方向に移動し突部を係合する構成としたので、ばね取付具はルーバーの本体に横動動作と長手方向への移動動作により取り付けられることとなり、ねじ固定の機能が不能になった場合においても、ルーバー本体６がばね取付具の長手方向に移動したのち横方向に移動しない限り脱落しなくなり、安全性が高められるとともに組立性も良くなり優位となる。
【図面の簡単な説明】
【図１】本発明の実施の形態１のルーバーの分解斜視図
【図２】同ルーバーの斜視図
【図３】本発明の実施の形態２のルーバーの分解斜視図
【図４】同ルーバーの斜視図
【図５】従来のルーバーの分解斜視図
【図６】同ルーバーを換気装置の本体に取り付ける状態を示す斜視図
【符号の説明】
１    開口部
２    略逆Ｕ字状部
３    ねじ孔部
４    本体
５    固定具
６    突部
６Ａ  突部
７    一辺
８    ねじ挿入孔
９    他辺
１０  取付部
１０Ａ  取付部
１１    ばね
１２    ばね取付具
１２Ａ  ばね取付具
１３    開口
１３Ａ  開口
１４    ねじ
【図１】
0003781648.tif 000002
【図２】
0003781648.tif 000003
【図３】
0003781648.tif 000004
【図４】
0003781648.tif 000005
【図５】
0003781648.tif 000006
【図６】
0003781648.tif 000007